(57)【要約】【課題】電子デバイスの焼損を防ぐ。【解決手段】フールプルーフ機能を備えた電子デバイスを提供し、それは第１のマグネット、出力端、ホールセンサおよび電源ユニットを含む。第１のマグネットは磁場を発生させる。出力端は磁場の範囲内に設置され、第２の電子デバイスの入力端と対になる。ホールセンサは磁場に基づいてホール電圧を生じる。電源ユニットは出力端に接続され、ホールセンサから出力される制御信号に基づいて出力端に電源を供給する。出力端が入力端に接続されると共にホール電圧が特定の電圧を超えると、ホールセンサが制御信号を出力し、これにより電源ユニットが制御信号に基づいて出力端に電源を供給し、かつ第２の電子デバイスが出力端から電源を受け取るようになる。【選択図】図１
2013069280.tif 000002
【特許請求の範囲】
【請求項１】
フールプルーフ機能を備えた電子デバイスであって、
磁場を生じる第１のマグネット、
前記磁場の範囲内に設置され、第２の電子デバイスの入力端と対になる出力端、
前記磁場に基づいてホール電圧を生じるホールセンサ、および
前記ホールセンサから出力される制御信号に基づいて前記出力端に電源を供給するべく前記出力端に接続される電源ユニット、
を含み、
前記出力端が前記入力端に接続されると共に前記ホール電圧が特定の電圧を超えると、前記ホールセンサが前記制御信号を出力し、これにより前記電源ユニットが前記制御信号に基づいて前記出力端に電源を供給し、かつ前記第２の電子デバイスが前記出力端から電源を受け取るようになる電子デバイス。
【請求項２】
前記ホール電圧が前記特定の電圧を超えていないとき、前記ホールセンサが前記制御信号を出力するのを停止し、これにより前記電源ユニットが前記出力端に電源を供給できなくなる請求項１に記載の電子デバイス。
【請求項３】
前記出力端が前記入力端に正しく接続されると、前記第２の電子デバイスの第２のマグネットが前記ホール電圧を前記特定の電圧まで増加させ、これにより前記ホールセンサが前記制御信号を出力し、かつ前記電源ユニットが前記制御信号に基づいて電源を前記出力端に供給するようになる請求項１に記載の電子デバイス。
【請求項４】
前記ホール電圧が所定の周期の間、前記特定の電圧を超えているとき、前記ホールセンサが前記制御信号を出力する請求項３に記載の電子デバイス。
【請求項５】
前記入力端が前記出力端に異常に接続されると、前記第１のマグネットが前記第２の電子デバイスの第３のマグネットに反発され、かつ前記第３のマグネットが前記ホール電圧を減少させ、これにより前記ホールセンサが前記制御信号を出力するのを停止するようになる請求項２に記載の電子デバイス。
【請求項６】
第１の電子デバイスおよび第２の電子デバイスに適したフールプルーフ法であって、
前記第１の電子デバイスの第１のマグネットの磁場に基づいてホールセンサにホール電圧を発生させるステップ、
前記第１の電子デバイスの出力端が前記第２の電子デバイスの入力端に接続されたとき、前記ホール電圧が特定の電圧を超えているかを判断するステップ、および
前記出力端が前記入力端に接続されると共に、前記ホール電圧が前記特定の電圧を超えているとき、前記ホールセンサから出力される制御信号に基づいて前記出力端に電源を供給し、これにより前記第２の電子デバイスが前記出力端から電源を受け取るようになるステップ、
を含むフールプルーフ法。
【請求項７】
前記ホール電圧が前記特定の電圧を超えていないとき、前記出力端への電源の供給を停止し、これにより前記第２の電子デバイスが前記出力端から電源を受け取らないようになるステップをさらに含む請求項６に記載のフールプルーフ法。
【請求項８】
前記入力端が前記出力端に正常に接続されたとき、前記第２の電子デバイスの第２のマグネットが前記ホール電圧を前記特定の電圧まで増加させ、これにより前記ホールセンサが前記制御信号を出力し、よって前記第１の電子デバイスの電源ユニットが前記制御信号に基づいて前記出力端に電源を供給するようになる請求項６に記載のフールプルーフ法。
【請求項９】
前記ホール電圧が所定の周期の間、前記特定の電圧を超えているとき、前記ホールセンサが前記制御信号を出力する請求項８に記載のフールプルーフ法。
【請求項１０】
前記出力端が前記入力端に異常に接続されたとき、前記第１のマグネットが前記第２の電子デバイスの第３のマグネットに反発され、かつ前記第３のマグネットが前記ホール電圧を減少させ、これにより前記ホールセンサが前記制御信号を出力するのを停止するようになる請求項７に記載のフールプルーフ法。
【発明の詳細な説明】
【技術分野】
【０００１】
関連出願の相互参照
本出願は、２０１１年９月２３日に出願された台湾特許出願第１００１３４２９６号の優先権を主張し、その全体が参照として本明細書に組み込まれる。
【０００２】
本発明は電子デバイスに関し、より詳細には、フールプルーフ機能（ｆｏｏｌ−ｐｒｏｏｆ  ｆｅａｔｕｒｅｓ）を備えた電子デバイスに関する。
【背景技術】
【０００３】
近年、コンピュータおよびネットワークは、より有効な多くの画期的な機能を実現させている。インターネット装置および外部記憶装置のような新たな周辺デバイスは、コンピュータまたはノートブック型パソコンにより容易に接続され得る。しかしながら、様々な種類の周辺デバイスがあり、かつ電子デバイスのプラグが正しくない方式でプラグ座（ｐｌｕｇ  ｓｅａｔ）に接続されることが多いため、電源供給後に電子デバイスが焼損するという事態が起こってしまう。
【発明の概要】
【発明が解決しようとする課題】
【０００４】
よって、電子デバイスの焼損を防ぐための電子デバイスおよびフールプルーフ法が必要である。
【課題を解決するための手段】
【０００５】
上述した問題に鑑みて、本発明は、第１のマグネット、出力端、ホールセンサおよび電源ユニットを含む、フールプルーフ機能を備えた電子デバイスの実施形態を提供する。第１のマグネットは磁場を発生させる。出力端は磁場の範囲内に設置され、第２の電子デバイスの入力端と対になる。ホールセンサは磁場に基づいてホール電圧を生じる。電源ユニットは、ホールセンサから出力される制御信号に基づいて出力端に電源を供給するべく出力端に接続される。出力端が入力端に接続されると共にホール電圧が特定の電圧を超えると、ホールセンサが制御信号を出力し、これにより電源ユニットが制御信号に基づいて出力端に電源を供給し、かつ第２の電子デバイスが出力端から電源を受け取るようになる。
【０００６】
また本発明は、第１の電子デバイスおよび第２の電子デバイスに適したフールプルーフ法を提供する。当該フールプルーフ法は、第１の電子デバイスの第１のマグネットの磁場に基づいてホールセンサにホール電圧を発生させるステップ、第１の電子デバイスの出力端が第２の電子デバイスの入力端に接続されたとき、ホール電圧が特定の電圧を超えているかを判断するステップ、および出力端が入力端に接続されると共に、ホール電圧が特定の電圧を超えているとき、ホールセンサから出力される制御信号に基づいて出力端に電源を供給し、これにより第２の電子デバイスが前記出力端から電源を受け取るようになるステップ、を含む。
【発明の効果】
【０００７】
本発明の電子デバイスおよびフールプルーフ法は、第１の電子デバイスが第２の電子デバイスに不正確な方式で電気的に接続されたときに第２の電子デバイスの一部部品が損傷を受けるまたは焼損するのを防ぐべく、これら電子デバイスが正しい方式で電気的に接続されているかを判断できるものである。故に、本発明の電子デバイスおよびフールプルーフ法によれば、電子デバイスを有効に保護することができる。
【図面の簡単な説明】
【０００８】
添付の図面を参照に、以下の実施形態において詳細な説明を行う。
【０００９】
添付の図面を参照にしながら後続の詳細な説明および実施例を読むことにより、本発明をより十分に理解することができる。
【００１０】
【図１】本開示の電子デバイスの概略図を示している。
【図２】本開示の電子デバイスの別の概略図を示している。
【図３】本開示の電子デバイスの別の概略図を示している。
【図４】本開示の電子デバイスの別の概略図を示している。
【図５】本開示のホールセンサの概略図を示している。
【図６】本開示のホールセンサの別の概略図を示している。
【図７】本開示のホール電圧のタイミングチャートを示している。
【図８】本開示のホール電圧の別のタイミングチャートを示している。
【図９】本開示のフールプルーフ法のフローチャートを示している。
【発明を実施するための形態】
【００１１】
図１は、本開示の電子デバイスの概略図を示している。図１に示されるように、電子デバイス１１０は、マグネット１１１および１１５、出力端１１２、ホールセンサ１１３（および／またはホールセンサ１１６）、ならびに電源ユニット１１４を含んでいる。マグネット１１１および１１５は磁場を発生させる。この実施形態において、マグネット１１１および１１５は、出力端１１２について対称をなす両側にそれぞれ配置される。
【００１２】
出力端１１２はマグネット１１１の磁場の範囲内に設置され、かつ別の電子デバイス１２０の入力端１２２と対になる。例えば、出力端１１２はメスコネクタであってよく、入力端１２２はオスコネクタであってよい。メスコネクタはオスコネクタと対になる。ホールセンサ１１３は、マグネット１１１の磁場に基づいてホール電圧を発生させるべくマグネット１１１上に設置され得る。いくつかの実施形態では、ホールセンサ１１３がマグネット１１５上に設置され得る、または電子デバイス１１０がマグネット１１５上に設置される別のホールセンサ１１６を含む。電源ユニット１１４は出力端１１２に接続される。出力端１１２が入力端１２２と接続されると、電源ユニット１１４は出力端１１２に選択的に電源を供給し、これにより入力端１２２が出力端１１２から電源を受け取るようになる。よって、電源ユニット１１４は、出力端１１２に選択的に電源を供給するためのスイッチングユニットを備えていてよい。
【００１３】
図２は、本開示の電子デバイスの別の概略図を示している。図２に示されるように、マグネット１１１は表面Ｆ１１およびＦ１２を有しており、マグネット１１５は表面Ｆ２１およびＦ２２を有している。表面Ｆ１１およびＦ２１は筐体外部表面１１７に設置される。表面Ｆ１１およびＦ２１の極性は反対であり、かつ表面Ｆ１２およびＦ２２の極性は反対である。他方の電子デバイス１２０において、マグネット１２１は表面Ｆ３１およびＦ３２を有しており、マグネット１２５は表面Ｆ４１およびＦ４２を有している。表面Ｆ３１およびＦ４１は筐体外部表面１２７に設置される。表面Ｆ３１およびＦ４１の極性は反対であり、かつ表面Ｆ３２およびＦ４２の極性は反対である。
【００１４】
図３は、本開示の電子デバイスの別の概略図を示している。図３は図２と類似しており、相違しているのは、表面Ｆ１２およびＦ２２がいずれも筐体内部表面１１８に設置される点である。他方の電子デバイス１２０において、表面Ｆ３２およびＦ４２はいずれも筐体内部表面１２８に設置される。なお、図３および４においては、マグネット１１１、１１５、１２１および１２５が筐体表面（例えば、筐体内部表面１１８また１２８）に接触しているという点に留意されたい。いくつかの実施形態では、マグネット１１１、１１５、１２１および１２５と筐体表面（例えば、筐体内部表面１１８または１２８）との間には間隔がある。
【００１５】
この実施形態において、出力端１１２が入力端１２２に正常に接続されると、マグネット１２１および１２５はマグネット１１１および１１５をそれぞれ引き付け、これによりマグネット１２１、１２５、１１１および１１５がホールセンサ１１３に最大の磁場を生じるようになる。一方、出力端１１２が入力端１２２に異常に接続されると、マグネット１２１、１２５、１１１および１１５はホールセンサ１１３に最大の磁場を生じない。
【００１６】
詳細に言うと、出力端１１２が入力端１２２に接続されると共に、ホール電圧が特定の電圧を超えると、電源ユニット１１４のスイッチングユニットは開路状態となり、これにより電源ユニット１１４が出力端１１２に電源を供給できるようになる。よって、電子デバイス１２０は出力端１１２から電源を受け取ることができる。この実施形態において、出力端１１２が入力端１２２に接続されると共に、ホール電圧が所定の周期の間、特定の電圧を超えているときにのみ、電源ユニット１１４は出力端１１２に電源を供給する。換言すると、出力端１１２が入力端１２２に安定に接続されるときにのみ、電源ユニット１１４は出力端１１２に電源を供給する。
【００１７】
ホール電圧が特定の電圧を下回ると、電源ユニット１１４は出力端１１２に電源を供給しない、または出力端１１２に電源を供給するのを停止し、これによって、出力端１１２が入力端１２２に異常に接続され、それと同時に電源ユニット１１４が入力端１２２（出力端１１２）へ電源を供給したときに電子デバイス１１０または１２０が損傷してしまうのを防ぐ。
【００１８】
図４は、本開示の電子デバイスの別の概略図を示している。電子デバイス１３０は、マグネット１１１、１１５、１２１および１２５、出力端１１２、入力端１２２、ホールセンサ１１３ならびに電源ユニット１１４を含んでいる。図４に示されるマグネットの配置は、図３に示される同じマグネットの配置と同じであるため、簡潔とすべくその説明は省く。いくつかの実施形態において、図４に示されるマグネットの配置は、図２に示される同じマグネットの配置と同じであってよい。図４に示されるように、電子デバイス１３０は電子デバイス１１０および１２０の全ての特徴（構造）を含んでいる。
【００１９】
図５は、本開示のホールセンサの概略図を示している。図５に示されるように、出力端１１２が入力端１２２に正常に接続されると、マグネット１２１は磁場ＭＦの量を増やし（磁場を強め）、これによりホール電圧ＶＨが特定の電圧を超えるようになる。ホール電圧ＶＨが所定の周期の間、特定の電圧を超えているとき、ホールセンサ１１３は電源ユニット１１４へ制御信号を出力し、これにより電源ユニット１１４が制御信号に基づいて出力端１１２に電源を供給するようになる。
【００２０】
図６は本開示のホールセンサの別の概略図を示している。図６に示されるように、出力端１１２が入力端１２２に異常に接続されると、マグネット１２５は磁場ＭＦの量を減らし、これによりホール電圧が特定の電圧まで増加され得なくなる。このため、ホールセンサ１１３は制御信号を電源ユニット１１４へ出力することができず、電源ユニット１１４は出力端１１２に電源を供給することができなくなる。
【００２１】
図７は、本開示のホール電圧のタイミングチャートを示している。図７に示されるように、時点ｔ０において、ホールセンサ１１３が磁場ＭＦに基づいてホール電圧ＶＨを生じる。このとき、ホール電圧ＶＨの量は電圧ＶＲである。時点ｔ１において、出力端１１２が入力端１２２に正しく接続され、これによりマグネット１２１がホール電圧ＶＨを増加させる。時点ｔ２において、ホール電圧ＶＨが特定の電圧ＶＤを超え、このうち特定の電圧ＶＤは電圧ＶＲより大きい。所定の周期ＴＰが経過して時点ｔ３に達し、かつホール電圧ＶＨが依然として所定の電圧ＶＤを超えているとき、ホールセンサ１１３は制御信号を電源ユニット１１４に出力し、これにより電源ユニット１１４が制御信号に基づいて電源を出力端１１２に供給するようになる。
【００２２】
図８は、本開示のホール電圧の別のタイミングチャートを示している。図８に示されるように、時点ｔ１において、出力端１１２が入力端１２２に異常に（不正確に）接続されると、マグネット１２５は磁場ＭＦの量を減らすことができ、これによりホール電圧が増加され得ないようになる。時点ｔ２において、ホール電圧ＶＨが電圧ＶＬを下回り、このうち電圧ＶＲは電圧ＶＬより大きい。このためホールセンサ１１３は制御信号を電源ユニット１１４に出力することができず、これにより電源ユニット１１４が電源を出力端１１２に供給できないようになる。
【００２３】
図９は、本開示のフールプルーフ法のフローチャートを示している。図９に示されるように、ステップＳ９１において、電子デバイス１１０のマグネット１１１（および／またはマグネット１１５）の磁場ＭＦに基づいてホール電圧ＶＨが生じる。ステップＳ９２において、電子デバイス１１０の出力端１１２が電子デバイス１２０の入力端１２２に接続されたとき、ホール電圧ＶＨが特定の電圧ＶＤを超えたかが判断される。ステップＳ９３において、出力端１１２が入力端１２２に接続されると共に、ホール電圧ＶＨが特定の電圧ＶＤを超えているとき、ホールセンサ１１３から出力される制御信号に基づいて出力端１１２に電源が供給され、これにより電子デバイス１２０が出力端１１２から電源を受け取るようになる。ステップＳ９４において、ホール電圧ＶＨが特定の電圧ＶＤを超えていないとき、電源は出力端１１２に供給されず、これにより電子デバイス１２０は出力端１１２から電源を受け取らないようになる。
【００２４】
本開示の電子デバイスおよびフールプルーフ法は、電子デバイス１１０が電子デバイス１２０に不正確な方式で電気的に接続されたときに電子デバイス１２０の一部部品が損傷を受けるまたは焼損するのを防ぐべく、電子デバイス１１０が電子デバイス１２０に正しい方式で電気的に接続されているかを判断できるものである。故に、本開示の電子デバイスおよびフールプルーフ法によれば、電子デバイス１２０を有効に保護することができる。
【００２５】
以上の記載は、詳細な説明を当業者がより理解できるように、いくつかの実施形態の特徴を述べたものである。当業者は、本開示を基礎として容易に利用し、他の工程および構造を設計または変更することにより、本明細書に紹介した上記実施形態と同じ目的および／または上記実施形態と同じ長所を達成できることを、理解するはずである。また当業者は、かかる均等な構成は本開示の精神および範囲を逸脱しないこと、ならびに本開示の精神および範囲を逸脱することなく各種変化、置換および変更を加えることができることも理解するはずである。
【符号の説明】
【００２６】
１１０、１２０…電子デバイス
１１１、１１５、１２１、１２５…マグネット
１１２…出力端
１２２…入力端
１１３、１１６…ホールセンサ
１１４…電源ユニット
Ｆ１１、Ｆ１２、Ｆ２１、Ｆ２２、Ｆ３１、Ｆ３２、Ｆ４１、Ｆ４２…表面
１２７、１１７…筐体外部表面
１１８、１２８…筐体内部表面
ＭＦ…磁場
ＶＤ…特定の電圧
ＶＨ…ホール電圧
ＶＲ、ＶＬ…電圧
ＴＰ…所定の周期
ｔ０、ｔ１、ｔ２、ｔ３…時点
【図１】
2013069280.tif 000003
【図２】
2013069280.tif 000004
【図３】
2013069280.tif 000005
【図４】
2013069280.tif 000006
【図５】
2013069280.tif 000007
【図６】
2013069280.tif 000008
【図７】
2013069280.tif 000009
【図８】
2013069280.tif 000010
【図９】
2013069280.tif 000011